(57)【要約】【課題】  トラックの荷台に積載可能で、小型で着脱可能で、かつ使用状態における安定性の優れた、トラック荷台搭載クレーンを提供する。【解決手段】  縦横のあおりの接点に、クレーン支持部材１０を、隣接するあおり１２ａ，１２ｂに着脱可能に跨設し、クレーン支持部材１０に接合されたアダプター９に、回動可能な状態で、マスト７を挿嵌し、マスト７の上端にブーム１を、マスト７を含む鉛直面内で回動可能な状態で取り付ける。ブーム１の先端近傍には、チェーンブロックや玉掛け用ロープまたはワイヤを掛けるための接合部材２が設けられ、人力では持ち上げることが困難な重量物の揚げ降ろしを、作業者に負担を掛けることなく行えるようにできる。ブーム１はマスト７との間に接合されるブーム支持部材３で支持される。【選択図】図１
2015151272.tif 000002
【特許請求の範囲】
【請求項１】
断面が円形のマストと、前記マストの一方の端に、前記マストを含む鉛直面内で回動可能に取り付けられてなるブームと、前記マストの他方の端を回動可能に挿嵌するためのアダプターを有し、トラックの荷台の長さ方向のあおりと幅方向のあおりとの間に着脱可能に跨設されてなるクレーン支持部材を有することを特徴とする、トラック荷台搭載クレーン。
【請求項２】
前記マストと前記ブームの間に、ブーム支持部材が接合されてなることを特徴とする、請求項１に記載のトラック荷台搭載クレーン。
【請求項３】
トラックの荷台の前記支持部材の下部に、貫通孔が設けられた板が接合され、前記マストにおけるアダプターに挿嵌された側の端に設けられた突起が、前記貫通孔に嵌合されてなることを特徴とする、請求項１または請求項２に記載のトラック荷台搭載クレーン。
【発明の詳細な説明】
【技術分野】
【０００１】  本発明は、トラックの荷台に積載可能で、必要に応じて、トラック荷台のあおりに取り付けることが可能なクレーンに関するものである。
【背景技術】
【０００２】  国内において、トラックは、物流の主役を担っていて、大小様々なトラックが、津津浦浦で運用されている。大型のトラックには、重量物の積み下ろしのための、動力を利用可能な、クレーンやデリックが搭載されたものがある。しかし、住宅地などの道幅の比較的狭い地域で運用されるトラックには、このような機材が備えられていないのが一般的である。【０００３】  しかし、このような比較的小型のトラックであっても、数百ｋｇの重量物を運搬する頻度は少なくなく、荷物の積み下ろしに人力だけでは対応できないことがある。このような事態に対処するには、チェーンブロックのような、人力で操作可能な荷役装置を、トラック荷台で使用可能とすることが有効であると考えられる。【０００４】  トラックの荷台に搭載可能なクレーンの例として、特許文献１には、トラック荷台に敷設したレールの上を移動するフレームに、チェーンブロックを取り付けたトラッククレーンが開示されている。しかし、ここに開示されているトラッククレーンは、レールが固定式であるため、場合によっては、荷役の障害になる可能性があり、改善の余地があると考えられる。【０００５】  また、特許文献２には、トラック荷台のあおりに基台を挟持させた構造のトラック搭載用クレーンが開示されている。しかし、この場合は、必ずしも十分な機械的強度を備えていないあおりに、ボルトを用いて基台を取り付けた構造なので、安定性の点で改善の余地があると考えられる。
【先行技術文献】
【特許文献】
【０００６】
【特許文献１】  特開昭６２−１８５５５０号公報
【特許文献２】  特開２００１−０１９３５８号公報
【発明の概要】
【発明が解決しようとする課題】
【０００７】  本発明の課題は、前記の問題点に鑑み、小型で着脱可能で、かつ使用状態における安定性の優れた、トラック荷台搭載クレーンを提供することにある。
【課題を解決するための手段】
【０００８】  本発明は、一般的なトラックの荷台は、３枚の側板、つまり、進行方向に平行な２枚のあおりと、後端に設けられた進行方向に垂直なあおりに、取り囲まれた構造であることを利用して、安定性が確保された、クレーンの基台構造を検討した結果、なされたものである。【０００９】  即ち、本発明は、断面が円形のマストと、前記マストの一方の端に、前記マストを含む鉛直面内で回動可能に取り付けられてなるブームと、前記マストの他方の端を回動可能に挿嵌するためのアダプターを有し、トラックの荷台の長さ方向のあおりと幅方向のあおりとの間に着脱可能に跨設されてなるクレーン支持部材を有することを特徴とする、トラック荷台搭載クレーンである。【００１０】  また、本発明は、前記マストと前記ブームの間に、ブーム支持部材が接合されてなることを特徴とする、前記のトラック荷台搭載クレーンである。【００１１】  また、本発明は、トラックの荷台の前記支持部材の下部に、貫通孔が設けられた板が接合され、前記マストにおけるアダプターに挿嵌された側の端に設けられた突起が、前記貫通孔に嵌合されてなることを特徴とする、前記のトラック荷台搭載クレーンである。
【発明の効果】
【００１２】  本発明に係るトラック荷台搭載クレーンは、基台、つまりクレーン支持部材が、隣接するあおりに跨設された状態で、トラック荷台の上に設けられているため、十分な安定性を備えている。また、構造上の特長から、クレーン支持部材へのマストの着脱や、クレーン支持部材自体の着脱が簡単に行える。【００１３】  また、マストにおける、アダプターに挿嵌される側の先端には、予め荷台に取り付けられた板の貫通孔に嵌合するための突起が設けることで、その安定性を向上することができる。さらに金属パイプや金属を接合しただけの、簡略な構造であるため、製作が容易で、様々な大きさのトラックに対応可能である。
【図面の簡単な説明】
【００１４】
【図１】  本発明に係るトラック荷台搭載クレーンの一例を示す斜視図。
【図２】  図１における破線で囲んだ部分を荷台の内側から示した斜視図。
【発明を実施するための形態】
【００１５】  次に、具体的な図に基づいて、本発明の実施の形態について説明する。
【００１６】  図１は、本発明に係るトラック荷台搭載クレーンの一例を示す斜視図である。図１において、１はブーム、２は、チェーンブロックや玉掛け用ロープまたはワイヤを掛けるための接合部材、３はブーム支持部材、４はブームにブーム支持部材を回動可能に取り付けるためのブーム支持部材取付部、５はトラック荷台搭載クレーンを収納する際に、ブーム支持部材３を、矢印に方向に回動させてブーム１に接触した状態で固定するためのブーム支持部材固定部材、６はマスト先端のブーム取付部、７はマスト、８はマストにブーム支持部材を嵌合するためのブーム支持部材嵌合部、９はマストのアダプター、１０はクレーン支持部材、１１はトラックの荷台、１２ａは進行方向に平行なあおり、１２ｂは後部のあおりである。
【００１７】  また図２は、図１における破線で囲んだ部分を荷台の内側から示した斜視図である。図２において、１３は荷台に固定された板、１４は板に設けられた貫通孔、１５はマスト７のアダプターに挿嵌される側の先端に設けられた突起、１６はマスト７に設けられた貫通孔に挿嵌してマスト７を回動させるためのハンドルである。
【００１８】  ここに例示したブーム１、マスト７、アダプター９は、それぞれ適当な径の鉄などの金属パイプを所要の長さに切断して得られる。ブーム１は角柱形状でもよいが、マスト７及びアダプター９は、マスト７を、アダプター９に挿嵌された状態で回動可能とする必要があるので、断面を円形とすることが必要である。
【００１９】  ブーム１は、マスト７が含まれる鉛直面内で回動可能とすることにより、マスト７をアダプター９から外した際に折り曲げてコンパクトに収納できる。ブーム取付部６で、ブーム１とマスト７を分離可能な構造とすることで、収納サイズをさらにコンパクト化できることは勿論である。
【００２０】  ブーム支持部材３は鉄などの金属パイプで構成するが、ブーム１とマスト７を一定角度で固定する機能を有し、ブーム１側に回動可能な状態で取り付け、ブーム支持部材嵌合部８に嵌合するだけで、マスト７側に取り付け可能とする必要がある。また、ブーム支持部材取付部４を、移動可能な構成としたり、複数箇所設けたりすることで、ブーム１とマスト７のなす角度を調整できるとともに、ブーム１の水平方向の長さを調整できる。
【００２１】  また、ブーム１の先端近傍には、チェーンブロックや玉掛け用ロープまたはワイヤを掛けるための接合部材２が設けられ、人力では持ち上げることが困難な重量物の揚げ降しを、作業者に負担を掛けることなく行えるようにできる。
【００２２】  クレーン支持部材１０は、鉄などの金属板に切断折り曲げ加工を施し、溶接などの方法で接合して得られる。アダプター９のクレーン支持部材１０への接合も溶接などで行われる。
【００２３】  図２に示した板１３は、やはり鉄などの金属板を切断して得られ、トラックの荷台１１は木材で構成されることもあるので、トラックの荷台１１への固定は、ボルト、ナットを用いることが望ましい。そして、主要の位置に貫通孔１４を設け、マスト７のアダプター９に嵌装される側の先端に設けられた突起１５を嵌合させて、マスト７のぐらつきを抑え、安定性を向上できる。
【００２４】  以上に説明したように、本発明によれば、小型で、様々な大きさのトラックの取り付けることが可能な、トラック荷台搭載クレーンを提供することができる。これによって、作業者の負担軽減や、荷役作業の効率向上に資するところを非常に大きく、物流の円滑化に寄与できる。
【００２５】  なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１・・・ブーム    ２・・・接合部材    ３・・・ブーム支持部材
４・・・ブーム支持部材取付部    ５・・・ブーム支持部材固定部材    ７・・・マスト
８・・・ブーム支持部材嵌合部    ９・・・アダプター    １０・・・クレーン支持部材
１１・・・  トラックの荷台    １２ａ・・・進行方向に平行なあおり
１２ｂ・・・後部のあおり    １３・・・板    １４・・・貫通孔    １５・・・突起
１６・・・ハンドル
【図１】
2015151272.tif 000003
【図２】
2015151272.tif 000004